(57)【特許請求の範囲】
【請求項１】
キャリアフィルムと、
前記キャリアフィルムに対して間接的に配置された部分的な反射層であって、該部分的な反射層が少なくとも部分的に透明である第１の領域と、前記部分的な反射層が不透明である第２の領域と、を含む部分的な反射層と、
前記キャリアフィルムに対して及び／又は前記キャリアフィルムに面する側と反対側となる前記部分的な反射層の側に対して間接的に配置され、第３の領域を含む部分的な装飾層と、
を有し、
前記部分的な反射層の前記第１の領域が前記部分的な装飾層の前記第３の領域と重なり、
前記部分的な反射層の前記第２の領域が前記部分的な装飾層の前記第３の領域の境界線を覆う、ことを特徴とする多層体。
【請求項２】
前記部分的な装飾層は、少なくとも１つの染料、顔料、金属層、エフェクト顔料、薄膜系、磁気薄膜系、及び／又はコレステリック液晶系を含み、及び／又は、
前記部分的な装飾層が、単色又は多色のラスター又はベクトルグラフィックスであるか、あるいは単色又は多色のラスター又はベクトルグラフィックスを含む、ことを特徴とする請求項１に記載の多層体。
【請求項３】
前記部分的な反射層は、少なくとも部分的に前記第１の領域において金属層として形成される、ことを特徴とする請求項１又は２に記載の多層体。
【請求項４】
前記第１の領域は、前記部分的な反射層が存在する第１の部分領域と、前記部分的な反射層が存在しない第２の部分領域と、を含むグリッドとして形成される、ことを特徴とする請求項３に記載の多層体。
【請求項５】
前記グリッドは、ドットグリッド又はライングリッドであり、
前記グリッドのグリッド幅は、人間の目の解像限界以下であって、５μｍ〜３００μｍである、ことを特徴とする請求項４に記載の多層体。
【請求項６】
前記第１の部分領域は、前記第１の領域の表面の２０％〜８０％を被覆する、ことを特徴とする請求項４又は５に記載の多層体。
【請求項７】
前記部分的な装飾層は、前記部分的な反射層のグリッドとともにモアレ効果を生成するグリッド構造を少なくとも部分的に有する、ことを特徴とする請求項４〜６のいずれかに記載の多層体。
【請求項８】
前記第２の領域は、前記第３の領域の境界線を完全に覆い、
前記第２の領域は、前記境界線の任意の点において、前記境界線に対して垂直をなし、所定の長さを有して前記第３の領域へと延びており、前記長さは、少なくとも、前記部分的な装飾層の形成時に生じる見当誤差の値であり、
前記長さは、０．２ｍｍ〜２ｍｍである、ことを特徴とする請求項１〜７のいずれかに記載の多層体。
【請求項９】
前記部分的な反射層は、少なくとも部分的に前記第２の領域においてＨＲＩ（高屈折率）層として形成されている、ことを特徴とする請求項１〜８のいずれかに記載の多層体。
【請求項１０】
前記多層体は、表面レリーフを有する複製層を含み、
前記表面レリーフは、回折格子、ホログラム、ブレーズド回折格子、線形格子、交差格子、六角形格子、非対称又は対称格子構造、逆反射構造、マイクロレンズ、マイクロプリズム、フレネルレンズ構造、自由形フレネルレンズ構造、ゼロ次回折構造、モスアイ構造、異方性又は等方性マット構造からなる群から選択される一つ又は複数のレリーフ構造を含むか、あるいは前記レリーフ構造の２つ以上を重ね合わせたものである、ことを特徴とする請求項１〜９のいずれかに記載の多層体。
【請求項１１】
前記キャリアフィルムは、ＰＥＴ（ポリエチレンテレフタレート）、ＰＥＮ（ポリエチレンナフタレート）又はＢＯＰＰ（二軸延伸ポリプロピレン）からなり、
前記多層体は、前記キャリアフィルムと前記部分的な装飾層との間に配置された保護層を有し、前記保護層は、ＵＶ硬化性ワニス、ＰＶＣ、ポリエステル又はアクリレートからなり、
前記多層体は、前記キャリアフィルムと前記保護層との間に配置された剥離層を有し、前記剥離層は、ワックス層、及び／又は強薄膜アクリレートからなる、ことを特徴とする請求項１〜１０のいずれかに記載の多層体。
【請求項１２】
請求項１〜１１のいずれかに記載の多層体を形成する方法であって、
キャリアフィルムを提供するステップと、
前記キャリアフィルムに対して間接的に部分的な反射層を適用するステップであって、該部分的な反射層は、前記部分的な反射層が少なくとも部分的に透明である第１の領域と、前記部分的な反射層が不透明である第２の領域と、を含む、部分的な反射層を適用するステップと、
前記キャリアフィルムに対して及び／又は前記キャリアフィルムに面する側と反対側となる前記部分的な反射層の側に対して間接的に部分的な装飾層を適用するステップであって、該部分的な装飾層は第３の領域を含む、部分的な装飾層を適用するステップと、
を含み、
前記部分的な反射層の前記第１の領域が前記部分的な装飾層の前記第３の領域と重なり、
前記部分的な反射層の前記第２の領域が前記部分的な装飾層の前記第３の領域の境界線を覆う、ことを特徴とする多層体を形成する方法。
【請求項１３】
セキュリティ文書を形成する方法であって、
キャリアフィルムに部分的な反射層を提供するステップであって、該部分的な反射層は、前記部分的な反射層が少なくとも部分的に透明である第１の領域と、前記部分的な反射層が不透明である第２の領域と、を含む、部分的な反射層を提供するステップと、
前記セキュリティ文書に対して間接的に部分的な装飾層を適用するステップであって、該部分的な装飾層は第３の領域を有する、部分的な装飾層を適用するステップと、
前記部分的な装飾層に前記部分的な反射層を転写するステップと、
を含み、
前記部分的な反射層の前記第１の領域が前記部分的な装飾層の前記第３の領域と重なり、
前記部分的な反射層の前記第２の領域が前記部分的な装飾層の前記第３の領域の境界線を覆う、ことを特徴とするセキュリティ文書を形成する方法。
【請求項１４】
請求項１〜１１のいずれかに記載の多層体において前記キャリアフィルムから取り除かれる層を転写することにより得ることができるセキュリティ要素。
【請求項１５】
請求項１４に記載のセキュリティ要素を有するセキュリティ文書。
【請求項１６】
身分証明書、パスポート、ビザ、運転免許証、クレジットカード又は紙幣である請求項１５に記載のセキュリティ文書。
【発明の詳細な説明】
【技術分野】
【０００１】
本発明は、多層体及び多層体の形成方法に関する。さらに、本発明は、そのような多層体を有するセキュリティ要素及びそのようなセキュリティ要素を有するセキュリティ文書に関する。
【背景技術】
【０００２】
多層体は、セキュリティ文書、紙幣、製品パッケージなどの認証及び偽造に対するセキュリティ要素として使用されることが多い。多層体は、複数の層、例えば、印刷層、レリーフ構造、反射層などから構成される。全体として、これらの層は、装飾的、情報的、及び／又は機能的なモチーフ及び構造を形成するとともに、互いを補完している。
【発明の概要】
【発明が解決しようとする課題】
【０００３】
個々の層の構造は、モチーフ全体の形成時に互いに作用するため、これらの構造について見当（位置）合わせを行うこと、すなわち、上記構造を互いに固定された相対位置関係に配置することが重要である。しかし、上記の見当合わせは、形成時に非常に複雑な方法によってのみ実現されることが多く、製造上の複雑性を増加させるとともに、製造コストを著しく増加させる恐れがある。偽造に対する保護を強化するため、互いに対する複数の層の見当合わせ精度が重要となる。
【０００４】
見当合わせ精度とは、２つ以上の要素及び／又は層の互いに対する位置精度を意味している。見当合わせ精度は、所定の公差内にあり、可能な限り低いことが求められる。同時に、複数の要素及び／又は層の互いに対する見当合わせ精度は、偽造に対する保護を強化するために重要である。位置的に正確な位置決めは、特に、光学的に検出可能な見当合わせマーク又は見当マークによって行うことができる。これらの見当合わせマーク又は見当マークは、特定の別個の要素、領域又は層を示すか、あるいは配置される要素、領域又は層の一部であるマーク自体を示す。
【０００５】
本発明の目的は、簡単に形成することができ、かつ魅力的な光学的外観を有する多層体及びその形成方法を提供することである。本発明のさらなる目的は、上記のような多層体に基づいて、光学的に魅力的なセキュリティ要素及びセキュリティ文書を提供することである。
【課題を解決するための手段】
【０００６】
本発明によれば、上記目的は、請求項１に係る多層体、請求項３０，３１に係る方法、請求項３７に係るセキュリティ要素、及び請求項３８に係るセキュリティ文書により実現される。
【０００７】
そのような多層体は、
キャリアフィルムと、
前記キャリアフィルムの表面に配置され、第１の領域において少なくとも部分的に透明であり、第２の領域において不透明である、部分的な反射層と、
前記キャリアフィルムの表面及び／又は前記キャリアフィルムに面する側と反対側となる前記反射層の側に配置され、第３の領域に存在し、第４の領域に存在しない、部分的な装飾層と、
を有し、
前記第１の領域が前記第３の領域と重なり、前記第２の領域が前記第３の領域及び前記第４の領域に重なる、ことを特徴とする。
【０００８】
そのような多層体を形成する方法は、
キャリアフィルムを提供するステップと、
前記キャリアフィルムの表面に部分的な反射層を適用するステップと、
前記キャリアフィルムの表面及び／又は前記キャリアフィルムに面する側と反対側となる前記反射層の側に部分的な装飾層を適用するステップと、
を含み
前記反射層は、第１の領域において少なくとも部分的に透明であり、第２の領域において不透明であり、
前記装飾層は、第３の領域における表面に適用され、第４の領域における表面に適用されず、
前記第１の領域が前記第３の領域と重なり、前記第２の領域が前記第３の領域及び前記第４の領域に重なる、ことを特徴とする。
【０００９】
セキュリティ文書を形成する方法は、
部分的な反射層をキャリアフィルムに提供するステップと、
前記セキュリティ文書の表面に部分的な装飾層を適用するステップと、
前記装飾層に前記部分的な反射層を転写するステップと、
を含み、
前記反射層は、第１の領域において少なくとも部分的に透明であり、第２の領域において不透明であり、
前記装飾層は、第３の領域における表面に適用され、第４の領域における表面に適用されず、
前記第１の領域が前記第３の領域と重なり、前記第２の領域が前記第３の領域及び前記第４の領域に重なる、ことを特徴とする。
【００１０】
このようにして得られた多層体は、紙幣、証券、身分証明書、運転免許証、クレジットカード、パスポート又はビザなどのセキュリティ文書を認証するためのセキュリティ要素として用いられる。さらに、多層体は、純粋に装飾的な用途にも用いられ得る。この場合、多層体はセキュリティ要素としてではなく、視覚的に魅力的な特徴としてのみ機能する。
【００１１】
セキュリティ要素は、例えば、多層体を対象物に転写することができる積層フィルム、エンボスフィルム、接着フィルムなどである。文書に一体化するために、例えば、ポリカーボネートなどから形成された、セキュリティ帯片（セキュリティストリップ）、セキュリティ糸（セキュリティスレッド）、セキュリティウィンドウ、又はデータページを用いてもよい。
【００１２】
反射層の不透明領域は、装飾層を有する第３の領域と、装飾を有していない第４の領域との両方に重なっているため、不透明な第２の領域は、装飾の境界線をマスキングしている。換言すると、装飾層及び反射層の双方に、ある種の見立誤差、すなわち、互いに対する位置的な許容誤差又は位置の不正確さが生じ得るが、上記の見立誤差は、上記のマスキングのため認識されない。
【００１３】
このようにして、光学的に魅力的な多層体は、高い見立精度を保証するために特別な措置をとることなく形成され得る。従って、このような多層体の形成は、大幅に簡素化され、低い製造コスト及び低い廃棄率で実施され得る。ある種の特別な場合には、装飾層を全面に設けることは、非常に費用対効果の高い形成方法となり、有益である。
【００１４】
本明細書において、層とは平面構造を意味する。層は、均質であってもよく、あるいは層自体が全面に亘り又は部分的に複数の層、特にグリッド状の層を有してもよい。グリッド（格子）とは、規則的又は不規則的、特に確率的である、連続した透明領域及び不透明領域を意味し、また、付加的、特に非確率的な情報を提供する。不透明領域は、多種多様な形態のグリッド要素であり、グリッドドット、グリッドライン又は他のグラフィックモチーフを含む。透明な領域は、各々の場合、グリッド要素の間に配置される。好ましくは、グリッドは目によって解像され得ない。しかし、粗いグリッドを用いてもよい。これにより、特に、例えば、回折金属領域と印刷領域との間における変わり目が魅力的かつ連続的に形成され得る。
【００１５】
２つの領域に重なるということは、多層体の可視表面上の表面の垂線に対して平行に延びるとともに、双方の領域と交差する少なくとも１つの直線が存在することを意味する。
【００１６】
不透明領域は、３０％未満の透過率、好ましくは２０％未満の透過率、特に好ましくは１０％未満の透過率を有する領域である。
【００１７】
透明領域は、３０％を超える透過率、好ましくは５０％を超える透過率、特に好ましくは７０％を超える透過率を有する領域である。
【００１８】
装飾層は、好ましくは、少なくとも１つの染料、顔料、金属層、エフェクト顔料、薄膜系、磁気薄膜系、及び／又はコレステリック液晶系を含む。
【００１９】
また、模倣が困難であり、高レベルの偽造防止及び／又は高レベルの視覚的魅力を保証し得る複雑な装飾を得るために、装飾層における上記成分を組み合わせてもよい。
【００２０】
第３の領域が少なくとも１つのモチーフ、画像、シンボル、ロゴ、及び／又は英数字を形成することが好ましい。
【００２１】
また、例えば、身分証明書に用いる場合、第３の領域は、有利には、個別化された、かつ／又は個人の名前、写真、生年月日などの情報を示すことができる。
【００２２】
これらの要素は単独で存在し得るが、組み合わせてもよい。また、上記の要素は、純粋に装飾的なものとし得るが、例えば、紙幣などの種類を示す情報的なものであってもよい。
【００２３】
さらに好ましくは、装飾層は、単色又は多色のラスター又はベクトルグラフィックスであるか、単色又は多色のラスター又はベクトルグラフィックスを含む。
【００２４】
このようにして、特に魅力的な装飾を実現することができる。
【００２５】
装飾層の層厚は、５ｎｍ〜５００μｍであり、好ましくは５０ｎｍ〜１００μｍであり、特に好ましくは５００ｎｍ〜５０μｍである。
【００２６】
反射層は、さらに好ましくは、少なくとも部分的に、特に第１の領域において、アルミニウム（Ａｌ）、クロム（Ｃｒ）、銅（Ｃｕ）、銀（Ａｇ）、金（Ａｕ）、若しくはこれらの合金又は組み合わせからなる金属層として形成される。
【００２７】
より複雑な光学的印象を実現するために、上記の列挙した材料を互いに組み合わせてもよい。
【００２８】
さらなる実施例では、第１の領域は、反射層が存在する第１の部分領域と、反射層が存在しない第２の部分領域と、を含むグリッドとして形成される。
【００２９】
従って、第１の領域に反射層が存在する部分領域が存在するが、第１の領域は、グリッド状の配置により、上記定義の意味において依然として透明である。グリッド状の配置により、さらなるグラフィック効果を実現することができる。特に、第１の領域において反射層を通して装飾層を視認することが可能であり、同時に、わずかな金属的な印象がグリッド状の配置を介して形成される。
【００３０】
グリッドがドットグリッド（点状グリッド）又はライングリッド（線状グリッド）であることが好ましい。しかし、任意の所望とするグリッド、例えば、確率的なグリッド又は特に付加的でかつ非確率的な情報を有するグリッドを用いてもよい。
【００３１】
グリッドのドット又はラインは、規則的に配列されてもよいし、所定の関数に従って変化してもよいし、又は確率的に分布されてもよい。最も単純な場合、ドットグリッドのドットは円形であるが、他の幾何学的形状を有していてもよい。テキストやロゴなどの微細構造を有する情報もグリッドのドットで刻印することができる。
【００３２】
さらに好ましくは、グリッドのグリッド幅は、好ましくは、人間の目の解像限界以下であって、特に、５μｍ〜３００μｍであり、好ましくは３０μｍ〜２００μｍである。
【００３３】
このように、グリッドは人間の目では解像され得ず、（付加的な回折光学効果の有無に関わらず）装飾層に重畳された効果、例えば、僅かに金属的な印象として認識されるだけである。
【００３４】
さらなる実施例では、透明度（グリッド開口部のグリッド幅に対する比）は、好ましくは、少なくとも１つの空間方向に沿った所定の勾配に従って、第１の領域に亘って変化する。グリッド開口部は、各々の場合、２つの不透明なグリッド要素の間の透明な領域である。グリッド幅は、２つの不透明なグリッド要素の間の距離である。
【００３５】
これにより、透明性及び／又は金属的な印象は、第１の領域において変化させることができ、従って、付加的な光学的に魅力的な効果を実現することができる。これにより、例えば、反射層における透明領域と不透明領域との間における変わり目が連続的又は段階的に形成され得るか、あるいは金属的な印象の変化がグリッドに亘って実現され得る。
【００３６】
特に、印刷された色の効果と、明らかに触覚的なレリーフ効果との組み合わせは、視覚的に非常に魅力的であり、セキュリティ機能として著しく適している。明らかに触覚的なレリーフ効果、（例えば、自由形状の表面又はレンズの形態）は、回折構造によって生成することができる。回折構造は、回折格子線が基本的に自由形状の表面の輪郭に追従するように形成されている。ここで、回折格子線の間の距離は、自由形状の表面の中央部分から当該表面の縁部へと外側に向かって連続的に変化する。しかし、明らかに湾曲した自由形状の表面の効果は、特定の構造的パラメータの統計的変動によって、又は回折格子線の間の距離が一定であるが構造の深さが変化する構造によって生成され得る。
【００３７】
第１の部分領域が、第１の領域の表面の２０％〜８０％、好ましくは３０％〜７０％、さらに好ましくは２０％〜５０％を覆うことがさらに有利である。
【００３８】
反射層により上記のように表面を覆う場合、第１の領域は依然として人間の目には実質的に透明に見える。事実上完全に不透明な金属的な印象は、被覆率が９０％を超えた場合に初めて生じる。
【００３９】
さらなる実施例では、装飾層は、反射層のグリッドとともにモアレ効果を生成するグリッド構造を少なくとも部分的に有する。
【００４０】
これにより、魅力的なデザインを形成するとともに、多層体の偽造に対する保護を向上させる付加的な光学効果を生成することができる。
【００４１】
第２の領域が第３の領域と第４の領域との間の境界線を完全に覆うことがさらに好ましい。
【００４２】
装飾層の外側輪郭全体（境界線に対応する外側輪郭）は、このように反射層の不透明領域によって覆われ、その結果、任意の見当誤差を外側輪郭全体に亘って隠すことができる。
【００４３】
第２の領域が、境界線の任意の点において境界線に対して垂直であり、所定の長さを有して第３及び第４の領域へと延びていることが特に好ましく、上記長さは、その値が装飾層の形成時に生じる見当交差に少なくとも対応している。
【００４４】
例えば、一方向又は寸法（例えば、Ｘ方向のみ又はＹ方向のみ）の見当公差が１ｍｍ（すなわち±１ｍｍ）である場合、上記の長さは、好ましくは、１ｍｍである。すなわち、本実施例では、第２の領域は、一方向又は寸法において、好ましくは、２ｍｍの幅を有し、従って、±１ｍｍ＝２ｍｍの全許容範囲が第２の領域によって覆われる。見当公差が同時に２つの方向（すなわち、例えば、同時にＸ方向及びＹ方向）に移動する場合、上記例からの一方向に対する対応する見当公差に、√２（すなわち、約１.４１４）を掛ける必要がある。これは、一方向又は寸法（例えば、Ｘ方向のみ又はＹ方向のみ）の見当公差が、例えば、約１.４１４ｍｍ（すなわち±１.４１４ｍｍ）であること、すなわち、上記の長さが、好ましくは、１.４１４ｍｍであることを意味する。すなわち、本実施例では、第２の領域は、一方向又は寸法において、好ましくは、２.８２８ｍｍの幅を有し、従って、±１.４１４ｍｍ=２.８２８ｍｍの全許容範囲が第２の領域によって覆われる。
【００４５】
この結果、最小限の表面被覆と同時に、装飾層の外側輪郭全体に亘る上記の見当誤差を不透明領域によって完全に隠すことができる。反射層の不透明領域が外側輪郭に沿って対称的に延在することにより、同時に装飾層における可視領域に効果的な境界が形成される。
【００４６】
上記長さは、好ましくは０.２ｍｍ〜２ｍｍであり、より好ましくは０.５ｍｍ〜０.８ｍｍである。
【００４７】
これは、装飾層の一般的な適用方法の場合に生じる見当許容差の２倍に相当し、その結果、この種の誤差が確実に覆われる。
【００４８】
さらなる実施例では、反射層は、少なくとも部分的に（特に第２の領域において）、特に、硫化亜鉛（ＺｎＳ）、酸化チタン（ＩＶ）（ＴｉＯ２）の透明薄膜系又はいわゆるナノコンポジットからなるＨＲＩ（high refractive index＝高屈折率）層として形成されており、上記透明薄膜系は、特に、交互に積層されるＨＲＩ及びＬＲＩ（low refractive index＝低屈折率）層として形成されている。
【００４９】
金属領域、特に、グリッド状の透明領域と、ＨＲＩ層との組み合わせは、特に魅力的である。魅力的な効果を達成するため、他の組み合わせ及び分布を用いてもよい。
【００５０】
反射層の厚さは、好ましくは５ｎｍ〜５０００ｎｍであり、より好ましくは２０ｎｍ〜１００ｎｍである。
【００５１】
さらに有利には、多層体は、表面レリーフを有する少なくとも１つの複製層を有するか、あるいは、上記複製層を含む。
【００５２】
これにより、複数のさらなる光学効果、特に、３次元効果を生成することができ、多層体の外観が改善されるとともに、偽造防止性が向上する。複製層は、特に、反射層が表面レリーフに追従し、その光学効果を強化するように、反射層に直接隣接して配置され得る。本発明によれば、この第１の複製層は、視認方向において装飾層の前方に位置する。この第１の複製層は、装飾又は光学効果として、個別のモチーフ又はエンドレスパターンを有している。上記個別のモチーフは、特に、他の装飾領域と見当（位置）合わせされており、エンドレスパターンは、見当外であるか又は他の装飾領域と見当合わせされている。
【００５３】
さらに、第２の複製層は、特に、第２の反射層と組み合わせて、視認方向において装飾層の背面に配置され得る。複製層は、好ましくは、装飾層の透明領域を介して視認可能であるとともに、さらに光学的な可変効果をもたらす。このように、上述した第１の複製層及び装飾層と組み合わせることで、より多様な光学効果をもたらすことができる。この第２の複製層は、装飾又は光学効果として、個別のモチーフ又はエンドレスパターンを有している。上記個別のモチーフは、特に、他の装飾領域と見当合わせされており、エンドレスパターンは、見当外であるか又は他の装飾領域と見当合わせされている。特に、第１の複製層及び第２の複製層のモチーフ及び／又はパターンは、互いに見当合わせされる。
【００５４】
表面レリーフは、回折格子、ホログラム、ブレーズド回折格子、線形格子、交差格子、六角形格子、非対称又は対称格子構造、逆反射構造、マイクロレンズ、マイクロプリズム、フレネルレンズ構造、自由形フレネルレンズ構造、ゼロ次回折構造、モスアイ（蛾の目）構造、異方性又は等方性マット構造からなる群から選択される一つ又は複数のレリーフ構造を含むか、あるいは上記レリーフ構造の２つ以上を重ね合わせたものを含むことが好ましい。
【００５５】
回折構造の回折格子パラメータは、一定であっても連続的に変化してもよい。また、回折格子パラメータは、隣接する部分領域がそれぞれ異なる格子パラメータを有する小さな部分領域において一定であってもよく、又は、統計的に変化してもよい。上記の重ね合わせたものの場合には、回折格子パラメータの変化の組合せ、すなわち、例えば、統計的に変化する構造と連続的に変化する構造との重ね合わせもまた想定される。
【００５６】
さらに有利には、複製層の層厚は、５０ｎｍ〜５０μｍであり、好ましくは２００ｎｍ〜１μｍである。
【００５７】
キャリアフィルムは、特に、ＰＥＴ（ポリエチレンテレフタレート）、ＰＥＮ（ポリエチレンナフタレート）又はＢＯＰＰ（二軸延伸ポリプロピレン）からなることが好ましい。
【００５８】
キャリアフィルムは、対象物（例えば、セキュリティ文書）に対する多層体の適用前、適用中、適用後に、多層体の残りの層から分離され得る。これにより、多層体の残りの層は、転写層を形成し、物体又は基板に転写される。キャリアフィルムは、最終的な取り付け前に、特に形成中及び転写中に、多層体を保護するとともに安定させる。
【００５９】
キャリアフィルムの層厚は、好ましくは６μｍ〜１００μｍであり、より好ましくは１２μｍ〜５０μｍである。
【００６０】
さらに、多層体が、キャリアフィルムと装飾層との間に配置された保護層を含むことが好ましい。この保護層は、好ましくは、特に、ＵＶ硬化性ワニス、ＰＶＣ、ポリエステル又はアクリレートからなる。
【００６１】
キャリアフィルムとは対照的に、保護層は、好ましくは、多層体が対象物に適用されたときに、多層体上に残留して外表面を形成する。従って、保護層は、多層体における敏感な他の層を、環境の影響、汚れ、傷などから保護する。この付加的な保護層に回折表面レリーフを設けてもよい。本実施例では、魅力的な光学的及び／又は機能的な効果、例えば、触覚的外観を有する表面又は動的マット勾配は、例えば、ロゴの色彩と組み合わせられ、従って、上記効果を、印刷された領域の有利な特性と組み合わせることができる。そのような組み合わせた効果（例えば、回折と印刷を組み合わせた効果）により、視覚的な魅力が向上するとともに、偽造に対する保護が強化される。
【００６２】
保護層の層厚は、１μｍ〜２０μｍであり、好ましくは３μｍ〜１０μｍであることが好ましい。
【００６３】
さらなる実施例では、多層体は、キャリアフィルムと保護層との間に配置された剥離層を有する。この剥離層は、特に、ワックス層、及び／又は強薄膜アクリレート（strongly filming acrylate）からなる。
【００６４】
そのような剥離層により、多層体又は転写層を対象物に適用する間に、損傷を生じさせることなく、単純かつ容易に、キャリアフィルムを転写層から剥離することができる。
【００６５】
分離層の層厚は、５ｎｍ〜１μｍであり、好ましくは１０ｎｍ〜１μｍである。
【００６６】
さらに、多層体は、反射層のキャリアフィルムに面する側と反対の側に配置された接着層を有することが好ましい。
【００６７】
接着層は、ホットメルト接着剤、低温接着剤、光学的又は熱的に活性化可能な接着剤などである。接着層により、例えば、セキュリティ文書などの対象物への多層体の固定が可能となる。
【００６８】
接着剤層の層厚は、好ましくは５０ｎｍ〜５０μｍであり、より好ましくは０.５μｍ〜１０μｍである。
【００６９】
付加的な反射層が、視認方向において接着剤層の前面、従って、特に視認方向において装飾層の背面に設けられると有利であることが分かった。多層体が適用される対象物や基板の背景が暗い場合には、多層体の光学効果の光学的輝度を減少させてもよい。さらなる反射層は、多層体の光学効果を基板から遮蔽するように機能し、特に、光学効果の高度を減少させない（特に実際に視野方向に光度を増大させる）表面により光学効果を強調するように機能する。
【００７０】
好ましい実施例では、装飾層は、印刷、特に、スクリーン印刷、グラビア印刷、インクジェット印刷、ダイスタンプ（凹版印刷）又はオフセット印刷によって、少なくとも所定の領域に設けられる。
【００７１】
また、例えば、複数の印刷された層及び複雑な光学効果を有する装飾層を形成するために、上記の印刷プロセスを互いに組み合わせてもよい。特に、同色及び／又は異なる色を有する複数の装飾層は、多色のモチーフを形成するように、互いに正確に見当合わせされて印刷され得る。見当公差が低いほど、より正確にモチーフを形成することができ、これにより、特に有利な光学効果をもたらすことができるとともに、偽造に対する保護を向上させることができる。
【００７２】
代替的に又は付加的に、装飾層は、ニス引き、鋳造、浸漬、及び／又は金属化によって、少なくとも所定の領域に適用され得る。特に、薄膜系は複数の層からなる。
【００７３】
さらに好ましくは、反射層は、スパッタリング、金属化又は気相堆積により設けられる。これにより、品質が高く、かつ特に一定の層厚を有する反射層を得ることができる。
【００７４】
反射層は、好ましくは部分的に設けられる。
【００７５】
具体的には、反射層は、反射層の形成中に、例えば、マスク又は予め除去可能な部分的なラッカー層を用いることにより設けられる。
【００７６】
あるいは、反射層を最初に全表面に設けて、続いて構造化するようにしてもよい。
【００７７】
構造化は、例えば、エッチングによって行うことができる。エッチング剤は、反射層の組成に応じて選択され、除去される反射層の領域においてのみ反射層と接触する。これは、例えば、エッチングレジストによる反射層の部分的なマスキングによって、又はエッチング剤の部分的なプリントによって、実施することができる。
【００７８】
以下、実施例を参照して本発明をより詳細に説明する。
【図面の簡単な説明】
【００７９】
【図１】装飾層、反射層及びキャリアフィルムを有しかつ回折表面レリーフを有する多層体の実施例を示す概略断面図。
【図２】連続的に不透明な金属層によって囲まれた装飾層を有する多層体の実施例を示す概略上面図。
【図３】回折ポンプ効果を有する不透明金属層によって囲まれた装飾層を有する多層体の実施例を示す概略上面図。
【発明を実施するための形態】
【００８０】
全体を符号１で示す多層体は、キャリアフィルム１１を有し、このキャリアフィルム１１に部分的な反射層１２が設けられている。反射層１２のキャリアフィルム１１に面する側と反対の側に、部分的な装飾層１３が設けられている。部分的な装飾層１３は、接着層１４によって全体的に覆われている。
【００８１】
キャリアフィルム１１は、剥離層１１２と、保護層１１３と、複製層１１４と、を含む。
【００８２】
キャリアフィルム１１は、好ましくは、ポリエチレンテレフタレート（ＰＥＴ）、ポリエチレンナフタレート（ＰＥＮ）又は二軸延伸ポリプロピレン（ＢＯＰＰ）からなる。キャリアフィルム１１の層厚は、好ましくは３μｍ〜１００μｍであり、特に好ましくは６μｍ〜５０μｍである。
【００８３】
剥離層１１２は、特に、ワックス層及び／又は強薄膜アクリレートからなり、キャリアフィルム１１と保護層１１３との間において、キャリアフィルム１１に隣接して配置されている。
【００８４】
多層体１を対象物に適用する際に、剥離層１１２により、キャリアフィルム１１を多層体１の残りの層から、損傷させることなく、簡単かつ容易に分離させることができる。剥離層の層厚は、５ｎｍ〜１μｍであり、好ましくは１０ｎｍ〜１μｍである。
【００８５】
キャリアフィルム１１を分離した後、保護層１１３は、外部に露出した多層体１の表面を形成し、従って、環境の影響、汚れ、傷などに対して敏感な多層体における他の層を保護する。
【００８６】
保護層１１３は、好ましくは、ＰＶＣ、ポリエステル、アクリレート、又はＵＶ硬化性ワニスからなる。保護層１１３の層厚は、１μｍ〜２０μｍであり、好ましくは３μｍ〜１０μｍである。
【００８７】
保護層１１３に隣接する複製層１１４は、複製ワニス、好ましくは熱可塑性又はＵＶ硬化性ワニスからなる。複製層１１４の層厚は、５０ｎｍ〜５０μｍであり、好ましくは２００ｎｍ〜１μｍである。
【００８８】
保護層１１３に面する側と反対側の面となる複製層１１４の表面に、表面レリーフが設けられている。表面レリーフは、回折格子、ホログラム、ブレーズド回折格子、線形格子、交差格子、六角形格子、非対称又は対称格子構造、逆反射構造、マイクロレンズ、マイクロプリズム、フレネルレンズ構造、自由形フレネルレンズ構造、ゼロ次回折構造、モスアイ（蛾の目）構造、異方性又は等方性マット構造からなる群から選択される一つ又は複数のレリーフ構造、あるいは上記レリーフ構造の２つ以上の組み合わせを含むことが好ましい。これにより、複雑な効果、特に、三次元であるように見え、かつ観察方向に応じて変化する効果が実現され得る。
【００８９】
反射層１２は、複製層１１４に設けられる。反射層１２は、好ましくは、アルミニウム（Ａｌ）、クロム（Ｃｒ）、銅（Ｃｕ）、銀（Ａｇ）、金（Ａｕ）、若しくはこれらの合金又は組み合わせからなる金属層として形成される。代替的に又は付加的に、高屈折材料（ＨＲＩ＝高屈折率）、特に、硫化亜鉛（ＺｎＳ）、酸化チタン（ＩＶ）（ＴｉＯ２）又はいわゆるナノコンポジットを用いてもよい。反射層の層厚は、好ましくは５ｎｍ〜５０００ｎｍであり、特に好ましくは２０ｎｍ〜１００ｎｍである。
【００９０】
より複雑な光学的印象を実現するために、上記の材料を互いに組み合わせてもよい。
【００９１】
反射層１２は、少なくとも部分的に透明である（すなわち３０％を超える透過率を有する）第１の領域１２１を有する。反射層１２は、反射層は不透明である（すなわち３０％未満の透過率を有する）第２の領域１２２を有する。
【００９２】
図２，３に示す実施例では、第１の領域１２１は、反射層が存在する第１部分領域と、反射層が存在しない第２部分領域と、を含むグリッドとして形成されている。
【００９３】
従って、第１の領域１２１に反射層が存在する部分領域が存在するが、第１の領域１２１は、グリッド状をなしているため、上記定義の意味において依然として透明である。グリッド状をなすことにより、さらなるグラフィック効果を実現することができる。特に、第１の領域において反射層１２を通して装飾層１３を視認することが可能であり、同時に、僅かな金属的な印象がグリッド状の構成を介して形成される。
【００９４】
グリッドは、好ましくは、ドットグリッド又はライングリッドである。図示した実施例では、グリッドは、ハッチングの形態をなすライングリッドである。
【００９５】
グリッドのドット又はラインは、規則的に配置されてもよいし、所定の関数に従って変化してもよいし、又は確率的に分布されていてもよい。最も単純な場合、ドットグリッドのドットは円形であるが、他の幾何学的形状としてもよい。テキストやロゴなどの微細構造の情報もグリッドのドットで刻印することができる。
【００９６】
グリッドのグリッド幅は、好ましくは、人間の目の解像限界以下であって、特に、５μｍ〜３００μｍであり、好ましくは３０μｍ〜２００μｍである。このように、グリッドは人間の目では解像することができず、装飾層１３に重畳された効果として、例えば、僅かな金属的な印象として認識されるだけである。
【００９７】
グリッド幅は、好ましくは、少なくとも１つの空間方向に沿った所定の勾配に従って、第１の領域１２１に亘って変化し得る。これにより、例えば、第１の領域１２１と、反射層１２の第２の領域１２２と、の間における移り変わりを連続的又は段階的に形成することができ、若しくはグリッドに亘る金属的な印象の変化を実現することができる。
【００９８】
グリッドの金属領域は、好ましくは、第１の領域１２１の表面の２０％〜８０％、より好ましくは３０％〜７０％、さらに好ましくは２０％〜５０％を覆う。上記のように反射層１２により表面を覆う場合、第１の領域１２１は、依然として人間の目に対して透明に見える。９０％を超える被覆率の場合に初めて、完全に不透明な金属的な印象が生じる。
【００９９】
反射層１２による第１の領域１２１の被覆は、好ましくは、少なくとも１つの空間方向に沿った所定の勾配に従って、第１の領域１２１に亘って変化し得る。これにより、第１の領域１２１において、透明性、及び／又は金属的な印象を変化させることができ、付加的な光学的に魅力的な効果を実現することができる。
【０１００】
装飾層１３は、反射層１２に設けられる。装飾層１３は、好ましくは、少なくとも１つの染料、顔料、金属層、エフェクト顔料、特に、光学的に可変な印刷インキ、例えば、ＯＶＩ（登録商標）、薄膜系、磁気薄膜系、及び／又はコレステリック液晶系を含む。模倣が困難であり、高レベルの偽造防止を保証し得る複雑な装飾を得るために、装飾層１３における上記成分を組み合わせてもよい。
【０１０１】
装飾層は、少なくとも１つのモチーフ、画像、シンボル、ロゴ、及び／又は英数字を形成することが好ましい。これらの要素は単独で存在し得るが、組み合わせてもよい。また、上記の要素は、純粋に装飾的なものとし得るが、例えば、紙幣などの種類を示す情報的なものであってもよい。
【０１０２】
このような装飾は、例えば、単色又は多色のラスター若しくはベクターグラフィックスとして実現することができる。
【０１０３】
装飾層１３の形成に適したプロセスは、印刷、特に、スクリーン印刷、グラビア印刷、インクジェット印刷、ダイスタンプ（凹版印刷）又はオフセット印刷であり、あるいはニス引き、鋳造、浸漬、及び／又は金属化である。
【０１０４】
また、上記のプロセスは、例えば、複数の印刷された層及び複雑な光学効果を有する装飾層を形成するために、互いに組み合わせてもよい。
【０１０５】
装飾層の層厚は、好ましくは５ｎｍ〜５００μｍであり、より好ましくは５０ｎｍ〜１００μｍであり、特に好ましくは５００ｎｍ〜５０μｍである。
【０１０６】
装飾層１３は、反射層１２の第１の領域１２１を覆うとともに、第１の領域１２１を越えて第２の領域１２２内に延在している。
【０１０７】
このように、反射層１２の第２の領域１２２は、装飾層１３と、装飾を有しない領域との両方に重なっているため、第２の領域１２２は、装飾の外側輪郭又は境界線をマスキングしている。換言すれば、装飾層１３及び反射層１２の両方に、ある種の見立誤差、すなわち、互いに対する位置的な許容公差又は位置の不正確さが適用され得るが、上記の見立誤差は、第２の領域１２２によるマスキングにより認識されない。
【０１０８】
図２、３に示すように、第２の領域１２２は、好ましくは、装飾層１３の境界面に沿って延在し、装飾層１３の外側輪郭又は境界線を覆っている。
【０１０９】
従って、反射層１２の第２の領域１２２により、装飾層１３の外側輪郭全体が覆われ、その結果、外側輪郭全体に亘って見立誤差を隠すことができる。
【０１１０】
第２の領域１２２は、境界線の任意の点において境界線に対して垂直であり、当該境界線から所定の長さを有して延びていることが特に好ましく、上記長さは、その値が装飾層１３の形成時に生じる見当誤差に少なくとも対応している。
【０１１１】
本実施例では、最小限の表面被覆と同時に、装飾層１３の外側輪郭全体に亘って見当誤差を完全に隠すことは、第２の領域１２２によって実現される。反射層１２の第２の領域１２２が外側輪郭に沿って対称的に延在することにより、同時に装飾層１３における可視領域の魅力的な境界が形成される。
【０１１２】
図３に示すように、第２の領域１２２は、付加的な効果を生じさせるため、複製層のレリーフ構造と組み合わせて使用され得る。マイクロミラーの傾斜角又はブレーズド回折格子の方位角を変化させることによって、例えば、図３に概略的に示す傾斜効果が得られる。その結果、第２の領域１２２における反射領域は、多層体１を傾斜させる際に、内側から外側へ、又は外側から内側へ移行する。
【０１１３】
装飾層１３及び反射層１２は、最終的に接着層１４によって覆われ、これにより、多層体１を対象物に取り付けることができる。
【０１１４】
接着層１４は、ホットメルト接着剤、低温接着剤、光学的又は熱的に活性化可能な接着剤などである。接着層の層厚は、５０ｎｍ〜５０μｍであり、好ましくは０.５μｍ〜１０μｍである。
【符号の説明】
【０１１５】
１      多層体
１１    キャリアフィルム
１１２  剥離層
１１３  保護層
１１４  複製層
１２    部分的な金属層
１２１  透明領域
１２２  不透明領域
１３    装飾層
１４    接着層
【図１】
0006731921.tif 000002
【図２】
0006731921.tif 000003
【図３】
0006731921.tif 000004